(57)【特許請求の範囲】
【請求項１】
選択操作に応じて順次選択される複数の外部入力端子を備える映像表示装置であって、
上記複数の外部入力端子に対して予め設定されたラベルとともにスキップを含む機器の種別を表すラベルを表す表示信号を操作に応じて生成する表示信号生成手段と、
上記表示信号生成手段からの表示信号に基づく表示を行う表示手段と、
上記ラベルの内でスキップを含む機器の種別を表すラベルを操作に応じて書換える制御手段と、
上記制御手段により書換えられたラベルの設定情報を記憶する記憶手段とを具備し、
上記制御手段は、ラベル書換えの後に上記外部入力端子の選択操作がなされると、選択された外部入力端子がスキップに設定されているかどうか判断してスキップに設定されていれば選択された外部入力端子をスキップするように制御することを特徴とする映像表示装置。
【請求項２】
請求項１に記載の映像表示装置において、
さらにリモートコマンダを有し、
上記ラベルは上記リモートコマンダを用いて設定されるようにしたことを特徴とする映像表示装置。
【請求項３】
選択操作に応じて順次選択される複数の外部入力端子を備える映像表示装置において上記外部入力端子を切り換え制御する方法であって、
ラベル書換えモードと判断すると、上記複数の外部入力端子に対して予め設定されたラベルを表示するよう制御するステップと、
所定の外部入力端子が選択されると、上記選択された外部入力端子のラベルとともに上記選択された外部入力端子を書換えるため、スキップを含む機器の種別を表すラベルを表示するよう制御するステップと、
上記選択された外部入力端子のラベルを書換えるステップと、
書換えられたラベルを記憶手段に記憶させるステップと、
ラベル書換えの後に上記外部入力端子の選択操作がなされると、選択された外部入力端子がスキップに設定されているかどうか判断してスキップに設定されていれば選択された外部入力端子をスキップするステップと
を有することを特徴とする切り換え制御方法。
【請求項４】
請求項３に記載の切り換え制御方法において、
上記ラベルはリモートコマンダを用いて設定されるようにしたことを特徴とする切り換え制御方法。
【発明の詳細な説明】
【０００１】
【発明の属する技術分野】
本発明はテレビジョン受信機や映像モニターのような映像表示装置に関し、詳細には複数の外部入力端子を切り換える際に、切り換え操作を簡便にし、切り換えが迅速に行えるようにする技術に関する。
【０００２】
【従来の技術】
テレビジョン受信機は、ビデオテープレコーダ（以下ＶＴＲという）、レーザーディスクプレーヤー（以下ＬＤという）、衛星放送チューナー（以下ＢＳチューナーという）等、ユーザーが保有している多数の機器を接続できるように多数の外部入力端子を備えている。
【０００３】
図６に示すように、これらの外部入力端子は、テレビジョン受信機に付属のリモートコマンダ（以下リモコンという）に設けられている入力切換ボタン５０等の操作により切り換える。すなわち、例えば図７に示すように、入力切換ボタン５０を繰り返し押すことによって、ユーザーはトグルでＴＶ→ビデオ１→ビデオ２→ビデオ３→ビデオ４→ビデオ５→ＴＶのように順を追って希望の入力に切り換えることができる。
【０００４】
【発明が解決しようとする課題】
しかしながら、前記従来の入力切り換え方法では、例えばユーザーがビデオ１端子しか外部機器と接続していない場合、一度入力切換ボタンを押して外部入力に切り換えた後は、信号が入力されていない端子（この例の場合にはビデオ２からビデオ５まで）、つまり映像が表示されない画面を何個も通り越さないとＴＶ入力に到達できないという問題点があった。また、図８に示すような、どの外部入力が選択されていてもＴＶ入力に切り換わるＴＶダイレクトボタン６１やそれぞれの外部入力へのダイレクトボタン６２〜６６を設ければ、そのボタンを押すことにより直ちに希望する外部入力へ到達することが可能となるが、昨今ボタンの数が増えているリモコン上に敢えてボタンを追加しなければならないという問題点が生じてしまう。
【０００５】
本発明はこのような問題点に鑑みてなされたものであって、複数の外部入力端子を備える映像表示装置において、希望する入力への切り換え操作を簡便にし、切り換えが迅速に行えるようにすることを目的とする。
【０００６】
【課題を解決するための手段】
本発明に係る映像表示装置は、複数の外部入力端子に対して予め設定されたラベルとともにスキップを含む機器の種別を表すラベルを表す表示信号を操作に応じて生成する表示信号生成手段と、上記表示信号生成手段からの表示信号に基づく表示を行う表示手段と、上記ラベルの内でスキップを含む機器の種別を表すラベルを操作に応じて書換える制御手段と、上記制御手段により書換えられたラベルの設定情報を記憶する記憶手段とを具備し、上記制御手段は、ラベル書換えの後に上記外部入力端子の選択操作がなされると、選択された外部入力端子がスキップに設定されているかどうか判断してスキップに設定されていれば選択された外部入力端子をスキップするように制御することを特徴とするものである。
【０００７】
本発明に係る切り換え制御方法は、ラベル書換えモードと判断すると、複数の外部入力端子に対して予め設定されたラベルを表示するよう制御するステップと、所定の外部入力端子が選択されると、上記選択された外部入力端子のラベルとともに上記選択された外部入力端子を書換えるため、スキップを含む機器の種別を表すラベルを表示するよう制御するステップと、上記選択された外部入力端子のラベルを書換えるステップと、書換えられたラベルを記憶手段に記憶させるステップと、ラベル書換えの後に上記外部入力端子の選択操作がなされると、選択された外部入力端子がスキップに設定されているかどうか判断してスキップに設定されていれば選択された外部入力端子をスキップするステップとを有することを特徴とするものである。
【０００８】
本発明によれば、映像表示装置の外部入力端子のそれぞれに対する外部機器の接続情報を予め記憶手段に記憶しておく。外部入力端子の切り換え時には、切換制御手段は、記憶手段内に記憶された情報に基づいて、使用していない外部入力端子をスキップして切り換える。このため、所望の外部入力端子への切り換え操作が簡便になり、切り換えが迅速に行える
【０００９】
【発明の実施の形態】
以下本発明の実施の形態について図面を参照しながら詳細に説明する。
【００１０】
図１は本発明を適用したテレビジョン受信機の構成を示すブロック図である。
【００１１】
このテレビジョン受信機は、アンテナ（ＡＮＴ）で受信したテレビ放送の番組を選択するチューナー１と、五個の外部入力端子Ｔ１〜Ｔ５を備えている。ここで、Ｔ１とＴ２はコンポジット入力端子、Ｔ３とＴ４はＹ／Ｃ分離入力端子（Ｓ端子）、Ｔ５はＹ／Ｕ／Ｖ入力端子である。
【００１２】
チューナー１の出力及び外部入力端子Ｔ１〜Ｔ５の各出力はＡＶスイッチ２に入力される。ＡＶスイッチ２はマイクロコンピュータ（以下マイコンという）７の制御にしたがって、コンポジットビデオ信号、Ｙ／Ｃ分離信号、又はＹ／Ｕ／Ｖ信号を信号処理ブロック３へ出力する。
【００１３】
信号処理ブロック３は入力される各種ビデオ信号からＲ，Ｇ，Ｂの信号を生成してＣＲＴ４へ出力すると共に、水平同期信号ＨＳ及び垂直同期信号ＶＳを分離して水平偏向回路５、垂直偏向回路６、及びマイコン７へ出力する。
【００１４】
水平偏向回路５は入力される水平同期信号ＨＳを基に鋸歯状の水平偏向信号を生成し、ＣＲＴ４に印加する。垂直偏向回路６も同様に垂直偏向信号をＣＲＴ４に印加する。
【００１５】
マイコン７は入力される水平同期信号ＨＳ及び垂直同期信号ＶＳをタイミング信号として用いる。また、ユーザーがリモコン１０を用いて入力した指令をリモコン受信部９を介して受け取り、ＡＶスイッチ２の制御、不揮発性メモリ８への様々なデータの記憶、ＯＳＤ（オンスクリーンディスプレイ）の制御等を行う。
【００１６】
図２に信号処理ブロック３の内部の構成を示す。この信号処理ブロック３は、コンポジットビデオ信号からＹ信号とＣ信号を分離するＹ／Ｃ分離回路３１と、Ｃ信号からＵ信号とＶ信号をデコードするカラーデコーダ３２と、Ｙ信号，Ｕ信号，及びＶ信号からＲ，Ｇ，Ｂ信号を生成するマトリクス回路３３とを備えている。さらに、この信号処理ブロック３は、コンポジットビデオ信号又はＹ信号から水平同期信号ＨＳ及び垂直同期信号ＶＳを分離する同期分離回路３４と、ＯＳＤ回路３５とを備えている。
【００１７】
図２において、信号処理ブロック３にコンポットビデオ信号が入力された場合には、入力されたコンポジットビデオ信号はＹ／Ｃ分離回路３１と同期分離回路３４に送られる。Ｙ／Ｃ分離回路３１は、Ｙ信号とＣ信号を分離し、Ｙ信号をマトリクス回路３３へ送り、Ｃ信号をカラーデコーダ３２へ送る。カラーデコーダ３２は、入力されたＣ信号からＵ信号とＶ信号をデコードし、マトリクス回路３３へ送る。マトリクス回路３３は、Ｙ／Ｃ分離回路３１から送られてくるＹ信号と、カラーデコーダ３２から送られてくるＵ信号及びＶ信号を用いて、Ｒ信号，Ｇ信号，及びＢ信号を生成し、外部のＣＲＴ４へ出力する。同期分離回路３４はコンポジットビデオ信号から水平同期信号ＨＳ及び垂直同期信号ＶＳを分離し、ＯＳＤ回路３５と外部の偏向系及びマイコン７へ出力する。ＯＳＤ回路３５は水平同期信号ＨＳ及び垂直同期信号ＶＳをタイミング信号として、マイコン７から送られてくる指令に応じたＯＳＤ信号を生成し、外部のＣＲＴ４へ出力する。
【００１８】
図２の信号処理ブロック３にＹ／Ｃ分離信号が入力された場合は、Ｙ信号がマトリクス回路３３に直接、入力される。また、Ｙ信号が同期分離回路３４に入力される。その他の動作はコンポジットビデオ信号入力時と同じである。また、Ｙ／Ｕ／Ｖ信号が入力された場合は、Ｙ信号、Ｕ信号、及びＶ信号が直接、マトリクス回路３３に入力される。その他の動作はＹ／Ｃ分離信号が入力された場合の動作と同じである。
【００１９】
次に図１に示したテレビジョン受信機における外部入力の切り換え動作について説明する。ここでは、外部入力端子Ｔ１にのみ機器が接続されているものとする。まず、ユーザーはリモコン１０を操作して、ビデオラベルの書換モードにする。ビデオラベルとは、テレビジョン受信機に入力するビデオ信号を外部入力端子に切り換えた際に、入力中の機器の種類（ベータ、ＶＨＳ、８ｍｍ、ゲーム等）を管面表示する機能である。
【００２０】
ユーザーがリモコン１０を操作してビデオラベル書換モードに設定するための指令を入力すると、この指令はリモコン受信部９を経てマイコン７に入力される。マイコン７はこの指令を解読すると、信号処理ブロック３内のＯＳＤ回路３５に対して、所定のＯＳＤ信号を発生するように指示する。ＯＳＤ回路３５は図３（ａ）に示すようなＯＳＤ信号を発生し、ＣＲＴ４に出力する。
【００２１】
図３（ａ）では、外部入力端子Ｔ１〜Ｔ５はぞれぞれビデオ１〜ビデオ５に設定されている。この設定のままでは、ＡＶスイッチ２により外部入力端子Ｔ１〜Ｔ５を切り換えた際に、ＣＲＴ４の端（例、右上端）には、それぞれビデオ１〜ビデオ５と表示されるのみである。つまり、ビデオラベルの本来の機能は使用されない。
【００２２】
ユーザーは図３（ａ）の画面を見ながら、リモコン１０を操作し、ビデオラベルの書換えを行う。ここでは、外部入力端子Ｔ１にのみ機器が接続されているので、外部入力端子Ｔ１はビデオ１のままにし、外部入力端子Ｔ２〜Ｔ５はスキップするように設定する。そこで、リモコン１０のカーソル移動キーを押して、カーソルを外部入力端子Ｔ２に対応する位置に合わせ、エンターキーを押す。この結果、ＣＲＴ４には図３（ｂ）に示すような、外部入力端子Ｔ２のビデオラベル書換画面が表示される。ユーザーは画面を見ながら、リモコン１０のカーソル移動キーを押し、カーソルをスキップの位置に合わせた後でエンターキーを押す。
【００２３】
同様にして、外部入力端子Ｔ３，Ｔ４，Ｔ５についてもカーソルをスキップの位置に合わせた後にリターンキーを押す。この結果、図３（ｃ）に示すように、外部入力端子Ｔ１はビデオ１に、外部入力端子Ｔ２〜Ｔ５はスキップに設定される。そして、このように設定された情報は、マイコン７に接続されている不揮発性メモリ８に記憶される。
【００２４】
次に、以上のようにビデオラベルを設定した後におけるテレビジョン受信機の外部入力切り換え動作について、図４のフローチャートを参照しながら説明する。ここでは、図６に示したリモコンを用いた動作について説明する。
【００２５】
まず、始めは入力はＴＶ（チューナーの出力を入力する状態）に設定されている（ステップＳ１）。そして、この状態で入力切換ボタンを押すと（ステップＳ２）、外部入力端子Ｔ１がスキップに設定されているかどうか判断する（ステップＳ３）。
【００２６】
外部入力端子Ｔ１がスキップに設定されていなければ外部入力端子Ｔ１に切り換わる（ステップＳ４）。本実施の形態では、外部入力端子Ｔ１はスキップに設定されていないので、外部入力端子Ｔ１に切り換わる。
【００２７】
次に、この状態で再び入力切換ボタンを押すと（ステップＳ５）、外部入力端子Ｔ２がスキップに設定されているかどうか判断する（ステップＳ６）。そして、外部入力端子Ｔ２がスキップに設定されていなければ外部入力端子Ｔ２に切り換わる（ステップＳ７）。また、外部入力端子Ｔ２がスキップに設定されていれば、外部入力端子Ｔ３がスキップに設定されているかどうか判断する（ステップＳ９）。
【００２８】
本実施の形態では、外部入力端子Ｔ２はスキップに設定されているので、外部入力端子Ｔ３がスキップに設定されているかどうか判断する。そして、外部入力端子Ｔ３、Ｔ４、Ｔ５が全てスキップに設定されているので、以後ステップＳ１２，Ｓ１５を通ってステップＳ１に戻る。つまり、外部入力端子Ｔ１に切り換えられている状態で入力切換ボタンを一回押すだけでＴＶ入力の状態に戻ることができる。
【００２９】
このように、本実施の形態によれば、入力切換ボタンを押す毎に、スキップに設定されている外部入力端子をスキップして外部入力の切り換えを行うので、所望の入力状態へ切り換えるためにリモコンを操作する回数を少なくすることができる。
【００３０】
以上、入力切換ボタンを押した場合の処理について説明した。次に図５を参照しながら、図８に示したリモコンのダイレクトボタンを押した場合の動作を説明する。
【００３１】
まず、始めは入力はＴＶに設定されている（ステップＳ２１）。そして、この状態でダイレクトビデオｎボタンを押す（ステップＳ２２）。ここで、ダイレクトビデオｎボタンとは、外部入力端子Ｔｎにダイレクトに切り換えるためのボタンである。本実施の形態の場合には、ｎは１，２，３，４，又は５となる。
【００３２】
ダイレクトビデオｎボタンが押されると、外部入力端子Ｔｎがスキップに設定されているかどうかを判断する（ステップＳ２３）。そして、スキップに設定されていなければ、外部入力端子Ｔｎに切り換え（ステップＳ２４）、スキップに設定されていれば入力切り換えを行わない（ステップＳ２５）。本実施の形態では、外部入力端子Ｔ１以外は全てスキップに設定されているので、ダイレクトビデオ１ボタンが押された場合のみ入力の切り換えを行い、その他の場合は切り換えを行わない。
【００３３】
なお、以上は本発明をテレビジョン受信機に適用したものであったが、本発明は映像モニターにも適用できる。また、本発明は液晶パネル等のフラットパネルディスプレイを用いた映像表示装置にも適用できる。
【００３４】
【発明の効果】
以上詳細に説明したように、本発明によれば、複数の外部入力端子を備える映像表示装置において、所望の入力状態へ切り換えるための操作の回数を少なくすることができるので、切り換え操作が簡便になり、切り換えが迅速に行えるようになる。
また、本発明によれば、ソースの表示は残したままラベル書換えだけを行うものであるため、そのラベルの書換えも容易である。
【図面の簡単な説明】
【図１】本発明を適用したテレビジョン受信機の構成を示すブロック図である。
【図２】図１における信号処理ブロックの内部の構成を示すブロック図である。
【図３】使用していない端子をスキップする設定を行う際のＯＳＤ画面の一例を示す図である。
【図４】本発明を適用したテレビジョン受信機の外部入力切り換え動作の一例を示すフローチャートである。
【図５】本発明を適用したテレビジョン受信機の外部入力切り換え動作の他の一例を示すフローチャートである。
【図６】従来のリモートコマンダの一例の外観を示す図である。
【図７】従来のテレビジョン受信機の外部入力切り換え動作を示すフローチャートである。
【図８】従来のリモートコマンダの他の一例の外観を示す図である。
【符号の説明】
１…チューナー、２…ＡＶスイッチ、７…マイコン、８…不揮発性メモリ、９…リモコン受信部、１０…リモコン。
【図１】
0004566293.tif 000002
【図２】
0004566293.tif 000003
【図３】
0004566293.tif 000004
【図４】
0004566293.tif 000005
【図５】
0004566293.tif 000006
【図６】
0004566293.tif 000007
【図７】
0004566293.tif 000008
【図８】
0004566293.tif 000009